(57)【要約】      （修正有）【課題】加工コストを節減できるラチェットレンチを提供する。【解決手段】ラチェットレンチは、本体１０、ラチェット２０、戻り止め３０、転向アセンブリ４０、リング蓋５０、トップバックル６０、ボトムバックル７０を備え、本体１０には収容槽１１、大弧槽１２、小弧槽１３、頂環槽１５、底環槽を設置し、ラチェット２０には頂軸部２３、頂嵌槽２４、底軸部２５、底嵌槽２６を設置し、戻り止め３０には凹弧槽３２を設置し、転向アセンブリ４０は回転可能で、戻り止め３０の凹弧槽３２内での左右移動を制御し、リング蓋５０は頂環槽１５に収容して設置され、頂軸部２３が嵌り、トップバックル６０はラチェット２０一端に嵌り、リング蓋５０がラチェット２０を離脱しないよう制限し、ボトムバックル７０はラチェット２０の反対端に嵌り、ラチェット２０が収容槽１１を離脱しないよう制限する。【選択図】図１
0003209939.tif 000002
【実用新案登録請求の範囲】
【請求項１】
ラチェットレンチは、本体、ラチェット、戻り止め、転向アセンブリ、リング蓋、トップバックル及びボトムバックルを備え、
該本体は、頂底部を貫通する円形の収容槽で、
該収容槽の片側壁には、大弧槽を陥没状に設置し、
該大弧槽の円心は、該収容槽の範囲内に位置し、
該大弧槽の片側壁には、小弧槽を陥没状に設置し、
該大弧槽及び該小弧槽の同方向の頂部は、それぞれ開放状を呈し、
該小弧槽の底部には、第一定位部を設置し、
該小弧槽の片側壁のその頂端に近い開口位置には、ラッパ状の欠槽を陥没状に設置し、該欠槽の両側壁には、弧面状の第一接触面及び第二接触面をそれぞれ陥没状に設置し、該収容槽の頂点部分壁から開口には、頂環槽を同軸に陥没状に設置し、該頂環槽の片側と該大弧槽とは相互に通じ、
該収容槽の底壁部分から開口には、底環槽を同軸に陥没状に設置し、
該ラチェットは、回転するように該収容槽内に設置され、外周にはラチェット歯が分布し、中央には、嵌合部を設置し、
該ラチェットの両端には、頂軸部及び底軸部をそれぞれ設置し、
該頂軸部及び該底軸部には、頂嵌槽及び底嵌槽をそれぞれ環状かつ陥没状に設置し、  該頂軸部は、該収容槽及び該頂環槽に枢設され、
該底軸部は、該収容槽及び該底環槽に枢設され、
該戻り止めは、移動可能なように該大弧槽の内片側に収容され、その前側には、噛み合い部を設置し、
該噛み合い部と該ラチェット歯とは相互に噛み合い、
該戻り止めの後側中央には、凹弧槽を設置し、及び両側には、接近接触面をそれぞれ設置し、該接近接触面は該大弧槽の内周面に接触し、
該転向アセンブリは、回転するように該小弧槽に設置され、該戻り止めの、該大弧槽内における左右移動を制御でき、該ラチェットレンチの正逆回転を制御し、転向部材、頂帽及び弾性部材を備え、
該転向部材上には、円柱ブロックを設置し、
該円柱ブロックは該小弧槽内に設置され、その上の制限槽は、該凹弧槽に対応し、該転向部材の底部には、第二定位部を設置し、該第二定位部は回転するように該第一定位部に収容して設置され、
該転向部材には、プッシャーを設置し、該プッシャーはスイングするように該欠槽に収容され、該プッシャーの両側壁は、それぞれ凸弧面状を呈し、これにより該第一接触面及び該第二接触面に対応して接触し、該転向部材の外周面には、第三枢部を設置し、該第三枢部と該円柱ブロックは、同じ大きさの外径を備え、
該頂帽及び該弾性部材は組み立てられた後、該制限槽内に収容され、該弾性部材は、該頂帽と制限槽との間に収容され、該頂帽は、該弾性部材の弾力を受け、該凹弧槽を押し、
該リング蓋は、該頂環槽に収容され、該頂環槽の底部に密着し、
該リング蓋の内周は、該頂軸部と嵌り、相互に枢設され、該リング蓋の外周片側には、凸部を突出状に設置し、該凸部の末端には、円弧状の欠縁を陥没状に設置し、該欠縁には、該第三枢部を嵌め、
該トップバックルは、該頂嵌槽に嵌め、及び該リング蓋に接触し、該リング蓋が該ラチェットから離脱しないよう制限し、
該ボトムバックルは、該底嵌槽に嵌り、及び該底環槽の底部に密着し、該ラチェットは、該リング蓋、該トップバックル及び該ボトムバックルに制限され、該収容槽内に枢設されることを特徴とするラチェットレンチ。
【請求項２】
前記大弧槽の周面と底面間には、９０〜１２０度の挟角を備え、
該挟角と該接近接触面及び該戻り止めの底面間の挟角は同じ大きさであることを特徴とする請求項１に記載のラチェットレンチ。
【請求項３】
前記挟角は、９０〜１００度であることを特徴とする請求項２に記載のラチェットレンチ。
【請求項４】
前記嵌合部は、多角槽状を呈し、或いは凸伸した四角頭状を呈することを特徴とする請求項１に記載のラチェットレンチ。
【請求項５】
前記転向部材は、該制限槽に近い位置に、凸状長方形を設置し、該凸状長方形は、該小弧槽の辺縁に接触し、該凸状長方形の長さは、該制限槽の直径より長いため、該凸状長方形は、該転向部材の、小弧槽における回転の最大角度を制限でき、
該リング蓋は該凸状長方形を押さえ、これにより該転向部材は該小弧槽外に離脱することはないことを特徴とする請求項１に記載のラチェットレンチ。
【請求項６】
前記トップバックル及び該ボトムバックルは、それぞれＣ形を呈し、しかも弾性を備えることを特徴とする請求項１に記載のラチェットレンチ。
【請求項７】
前記リング蓋は、該頂帽上を押さえ、これにより該転向アセンブリは、該小弧槽に枢設されることを特徴とする請求項１に記載のラチェットレンチ。
【請求項８】
前記底環槽の内径と該頂環槽の内径とは同じ大きさであることを特徴とする請求項１に記載のラチェットレンチ。
【考案の詳細な説明】
【技術分野】
【０００１】
本考案はラチェットレンチに関し、特にラチェット機能を備えた手工具技術に関する。
【背景技術】
【０００２】
従来のラチェットレンチは、特許文献１に開示するように、レンチ本体１０両端には、頭部１１及び柄部１２をそれぞれ備える。
頭部１１内には、収容槽１３を設置し、柄部には、小弧槽１５を設置する。
収容槽１３と小弧槽１５間には、大弧槽１４を設置する。
換向スイッチ５０は、回転するように小弧槽１５に設置される。
頂掣装置６０は、換向スイッチ５０内に係合され、換向スイッチ５０に従い回転して定位される。
嵌着部材４０は、大弧槽１４内に入れられ、片側には、歯部４１を設置し、反対側は、頂掣装置６０と結合し、頂掣装置６０により連動され、大弧槽１４内で移動する。
ラチェット動部材７０は、頭部１１に相対し回転するように収容槽１３に入れられ、その外周には、歯部７１を環状に設置し、歯部４１と噛み合う。
【０００３】
しかし、上述の構造には、以下のような欠点がある。
1. 大弧槽１４の上下両側封鎖状を呈するため、加工時には、Ｔ型ナイフを使用して加工成形するしかないが、Ｔ型ナイフを使用した加工はコストが高く、しかもＴ型ナイフのアーバーは頭部１１の内周面の制限を受け、直径を大きくできないため、断裂しやすい。
2. 収容槽１３は大小の内径を備えるため、直径の大きなドリルヘッドを用いて大きな内径の部分をわざわざ形成する必要がある。
本考案は、従来のラチェットレンチの上記した欠点に鑑みてなされたものである。
【先行技術文献】
【特許文献】
【０００４】
【特許文献１】米国特許第６２８２９９２号明細書
【考案の概要】
【考案が解決しようとする課題】
【０００５】
本考案が解決しようとする課題は、加工コストを節減できるラチェットレンチを提供することである。
【課題を解決するための手段】
【０００６】
上記課題を解決するため、本考案は下記のラチェットレンチを提供する。
ラチェットレンチは、本体、ラチェット、戻り止め、転向アセンブリ、リング蓋、トップバックル、ボトムバックルを備え、
該本体には、収容槽、大弧槽、小弧槽、頂環槽、底環槽を設置し、ラチェット、戻り止め、転向アセンブリ、リング蓋、トップバックル、ボトムバックルを設置し、
該ラチェットには頂軸部、頂嵌槽、底軸部、底嵌槽を設置し、
該戻り止めには凹弧槽を設置し、
該転向アセンブリは回転可能で、該戻り止めの弧槽内での左右移動を制御し、
該リング蓋は、頂環槽に収容して設置され、内周には、頂軸部が嵌り、
該トップバックルは、ラチェット一端に嵌り、該リング蓋がラチェットを離脱しないよう制限し、
該ボトムバックルはラチェットの反対端に嵌り、該ラチェットが収容槽を離脱しないよう制限する。
【考案の効果】
【０００７】
従来の技術に比較し、本考案の収容槽、大弧槽及び小弧槽は同方向の頂部が開放状であるため、ドリルヘッド工具加工或いはプレス成形を選択でき、加工の選択性が広く、しかも加工が容易で、コストを節減できる。
【図面の簡単な説明】
【０００８】
【図１】本考案によるラチェットレンチの立体分解図である。
【図２（ａ）】本考案によるラチェットレンチ本体の前視図である。
【図２（ｂ）】図２（ａ）中の２-１-２-１位置の断面図である。
【図３】本考案によるラチェットレンチ本体の別の視角の立体図である。
【図４】本考案によるラチェットレンチ転向アセンブリの立体分解図である。
【図５】本考案によるラチェットレンチの立体組合せ図である。
【図６】本考案によるラチェットレンチの側視図である。
【図７】図６中の７-７位置の断面図である。
【図８】図６中の８-８位置の断面図である。
【図９】本考案によるラチェットレンチの前視図である。
【図１０】図９中の１０-１０位置の断面図である。
【図１１】図１０中のＤ位置の拡大図である。
【図１２】本考案による第二実施形態の転向アセンブリの立体分解図である。
【考案を実施するための形態】
【０００９】
以下に図面を参照しながら本考案を実施するための最良の形態について詳細に説明する。
【００１０】
図１〜５及び図９〜１１に示す通り、本考案によるラチェットレンチは、本体１０、ラチェット２０、戻り止め３０、転向アセンブリ４０、リング蓋５０、トップバックル６０及びボトムバックル７０を備える。
【００１１】
本体１０作用端には、頂底部を貫通する円形収容槽１１を設置する。
【００１２】
収容槽１１片側壁には、大弧槽１２を陥没状に設置する。
【００１３】
大弧槽１２の軸心は、収容槽１１の範囲内に位置する。
【００１４】
大弧槽１２頂部は、開放状を呈し、底部は、封鎖状を呈する。
【００１５】
大弧槽１２の周面と底面との間には、９０〜１２０度の挟角１２１を設置する。
【００１６】
大弧槽１２片側壁には、小弧槽１３を陥没状に設置する。
【００１７】
小弧槽１３頂部は、開放状を呈し、底部は、封鎖状を呈する。
【００１８】
小弧槽１３の底部には、円錐形第一定位部１３１を陥没状に設置する。
【００１９】
小弧槽１３頂点部分の側壁には、ラッパ状の欠槽１４を陥没状に設置する。
【００２０】
欠槽１４の対応する二つの壁は、それぞれ第一接触面１４１及び第二接触面１４２である。
【００２１】
収容槽１１頂点部分壁から開口には、同軸で頂環槽１５を環状かつ陥没状に設置する。
【００２２】
頂環槽１５片側と大弧槽１２とは連通する。
【００２３】
収容槽１１底部分壁から開口には、同軸心で円形底環槽１７を環状かつ陥没状に設置する。
【００２４】
底環槽１７と頂環槽１５の円径は、相同である。
【００２５】
ラチェット２０は、回転するように収容槽１１内に設置され、その外周には、ラチェット歯２１を環状に配列し、中央には、多角槽状の嵌合部２２を設置し、螺合部材を嵌合し、頂点部分及び底部分には、頂軸部２３及び底軸部２５をそれぞれ設置する。
【００２６】
頂軸部２３及び底軸部２５上には、頂嵌槽２４及び底嵌槽２６をそれぞれ環状かつ陥没状に設置する。
【００２７】
頂軸部２３は、収容槽１１及び頂環槽１５に枢設される。
【００２８】
底軸部２５は、収容槽１１及び底環槽１７に枢設される。
【００２９】
戻り止め３０は、移動可能なように大弧槽１２内に収容され、その前側には、噛み合い部３１を設置し、ラチェット歯２１と噛み合い、後側には、凹弧槽３２を設置する。
【００３０】
戻り止め３０後側両側には、接近接触面３３を設置し、大弧槽１２の内周面に接近接触する。
【００３１】
接近接触面３３と戻り止め３０の底面間の挟角と挟角１２１相同である。
【００３２】
転向アセンブリ４０は、小弧槽１３に枢設し、戻り止め３０の、大弧槽１２内での左右移動を回転して制御し、ラチェットレンチの正逆回転を制御し、転向部材４１、頂帽４２及び弾性部材４３を備える。
【００３３】
転向部材４１には、円柱ブロック４１１を設置し、円柱ブロック４１１は、小弧槽１３内に枢設し、円柱ブロック４１１には、制限槽４１２を設置する。
【００３４】
制限槽４１２は、凹弧槽３２に対応し、転向部材４１底部には、錐形の第二定位部４１３を設置し、第二定位部４１３は、第一定位部１３１に定位される。
【００３５】
第一定位部１３１及び第二定位部４１３は、転向部材４１は、小弧槽１３の中心に枢設され、転向部材４１のプッシャー４１４は、欠槽１４にスイングするように収容され、プッシャー４１４の両側はそれぞれ凸弧面状を呈し、第一接触面１４１及び第二接触面１４２位置に対応して接触する。
【００３６】
転向部材４１の外周面には、第三枢部４１５を設置し、第三枢部４１５と円柱ブロック４１１は、相同の外径を備え、転向部材４１は、制限槽４１２に近い位置に、凸状長方形４１６を設置し、凸状長方形４１６は、小弧槽１３の辺縁位置に接触し、凸状長方形４１６の長さ４１７は、制限槽４１２の直径より長いため、凸状長方形４１６は、転向部材４１の、小弧槽１３における回転の最大角度を制限できる。
【００３７】
頂帽４２及び弾性部材４３は組み立てられた後、制限槽４１２内に収容される。
【００３８】
弾性部材４３は、頂帽４２と制限槽４１２との間に収容され、頂帽４２は、弾性部材４３の弾力を受け、凹弧槽３２を押す。
【００３９】
リング蓋５０は、頂環槽１５に収容して設置される。
【００４０】
リング蓋５０の内周５１には、頂軸部２３が嵌り、外周片側には、凸部５２０を突出状に設置し、該凸部５２０末端には、円弧状欠縁５２を陥没状に設置し、欠縁５２を第三枢部４１５に嵌める。
【００４１】
リング蓋５０は、凸状長方形４１６及び頂環槽１５の底部１６を押さえる。
【００４２】
リング蓋５０は、頂環槽１５の形状に対応する。
【００４３】
トップバックル６０は、Ｃ形を呈し、弾性を備え、頂嵌槽２４に嵌り、リング蓋５０に密接に接触し、リング蓋５０がラチェット２０を離脱しないよう制限する。
【００４４】
ボトムバックル７０は、Ｃ形を呈し、弾性を備え、底嵌槽２６に嵌り、及び底環槽１７の底部１８に接触し、これによりラチェット２０はリング蓋５０、トップバックル６０及びボトムバックル７０に制限され、収容槽１１内に枢設される。
【００４５】
図６及び７に示す通り、噛み合い部３１とラチェット歯２１とは噛み合い、転向アセンブリ４０は、小弧槽１３に枢設し、頂帽４２は、弾性部材４３の弾力を受け、戻り止め３０の凹弧槽３２を押し、こうしてスライドプッシャー４１４は、転向アセンブリ４０が回転しても、戻り止め３０の大弧槽１２内での左右移動を制御し、ラチェットレンチの正逆回転を制御できる。
【００４６】
図８に示す通り、凸状長方形４１６の長さ４１７は、制限槽４１２の直径より長いため、該転向アセンブリ４０が回転し、戻り止め３０の、大弧槽１２内での左右移動を制限すると、凸状長方形４１６は、小弧槽１３の辺縁位置に接触し、転向部材４１の最大回転角度を制限する。
【００４７】
図１２に示す通り、本考案による第二実施形態では、転向部材４１には、凸状長方形４１６を設置せず、リング蓋５０は、頂帽４２上に接触し、これにより転向アセンブリ４０は、小弧槽１３位置に枢設される。
【００４８】
本考案別種の実施形態では、嵌合部２２は、突出した四角頭状を呈する。
【００４９】
本考案は、以下の長所を備える。
1. 大弧槽１２及び小弧槽１３が向かう頂部は開放状を呈するため、ドリルヘッドの加工が容易で、コストを節減できる。
2. 収容槽１１は貫通状を呈するため、カッター工具での加工時に、加工深さを制御する必要がない。
3. 収容槽１１、大弧槽１２、小弧槽１３は同一機器で加工が完成されるため、公差が累積されない。
4. 収容槽１１、大弧槽１２、小弧槽１３の同一上端はすべて開放状を呈するため、本体１０は一度プレスすれば成形できる。
5. 本体１０は、ニーズに応じて、ドリルヘッド加工或いはプレス成形を選択でき、多種の加工方式を選択できる。
6. 図８に示す通り、長さ４１７は、制限槽４１２の直径より長いため、凸状長方形４１６は小弧槽１３の辺縁を押し、転向部材４１の最大回転角度を制限でき、小弧槽１３辺縁への頂帽４２の衝突を回避できる。
7. 第一接触部及び第二接触部は、第一接触面１４１及び第二接触面１４２に対応して接触し、転向部材４１の回転最大角度を制限できる。
8. 転向部材４１は、小弧槽１３に枢設し、第三枢部４１５と第四枢部５２は枢設され、転向部材４１の枢設は堅固である。
9. 第二定位部４１３は、第一定位部１３１に収容して設置され、こうして転向部材４１は、小弧槽１３の中心に枢設される。
10. トップバックル６０及びボトムバックル７０の設置により、取り付け人員のラチェットレンチ取り付けを便利にし、操作者はトップバックル６０を通して、リング蓋５０を頂嵌槽２４に固定するため、ラチェット２０、戻り止め３０及び弾性部材４０は、本体１０内に収容され、ボトムバックル７０を通して、ラチェット２０の枢設を行う。
11. 頂軸部２３は第三枢部５１に枢設され、底軸部２５は収容槽１１に枢設されるため、ラチェット２０は堅固に枢設される。
12. トップバックル６０或いはボトムバックル７０を開くだけで、ラチェット２０を収容槽１１から取り出して部品を交換できる。
【００５０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５２】
１０  本体
１１  収容槽
１２  大弧槽
１２１  挟角
１３  小弧槽
１３１  第一定位部
１４  欠槽
１４１  第一接触面
１４２  第二接触面
１５  上環槽
１６  底部
１７  下環槽
１８  底部
２０  ラチェット
２１  ラチェット部
２２  嵌合部
２３  第一枢部
２４  上嵌槽
２５  第二枢部
２６  下嵌槽
３０  戻り止め
３１  噛み合い部
３２  凹弧槽
３３  接近接触面
４０  転向アセンブリ
４１  転向部材
４１１  円柱ブロック
４１２  制限槽
４１３  第二定位部
４１４  プッシャー
４１５  第三枢部
４１６  凸状長方形
４１７  長さ
４２  頂帽
４３  弾性部材
５０  リング蓋
５１  第四枢部
５２  第五枢部
６０  上嵌合リング
７０  下嵌合リング
【図１】
0003209939.tif 000003
【図２（ａ）】
0003209939.tif 000004
【図２（ｂ）】
0003209939.tif 000005
【図３】
0003209939.tif 000006
【図４】
0003209939.tif 000007
【図５】
0003209939.tif 000008
【図６】
0003209939.tif 000009
【図７】
0003209939.tif 000010
【図８】
0003209939.tif 000011
【図９】
0003209939.tif 000012
【図１０】
0003209939.tif 000013
【図１１】
0003209939.tif 000014
【図１２】
0003209939.tif 000015